(57)【特許請求の範囲】
【請求項１】
バストの膨らみに対応するように複数の生地片を接ぎ合せて立体的に構成され、その一部の生地片がアームホールの肩山から腋下の前側部分を形成する前身頃と、
複数の生地片から構成され、その一部の生地片が前記アームホールの肩山から腋下の背面側部分を形成する後身頃と、
前記前身頃と前記後身頃の間に配置され、その上部が腋下周辺のアームホールを構成する脇布と、
を備えた身頃本体から成る女性用背広上衣であって、
少なくとも前記前身頃の一部の生地片および前記後身頃の一部の生地片が背広上衣を構成する他の生地片よりも前記身頃本体の幅方向に易伸縮性を有しており、
前記前身頃において易伸縮性を有する一部の生地片は、前記アームホールの一部を形成するアームホール端縁と、バストトップ点を経由するように形成された正面側端縁又は下端縁とを有する、女性用背広上衣。
【請求項２】
請求項１に記載の女性用背広上衣において、
前記前身頃は、その正面中央部分を覆う生地片および前記アームホールを形成する正面脇側部分の生地片から構成され、前記正面脇側部分の生地片は前記正面中央部分の生地片よりも前記身頃本体の幅方向に易伸縮性を有していている、女性用背広上衣。
【請求項３】
請求項１に記載の女性用背広上衣において、
前記前身頃は、前記アームホールの正面上部を形成するとともにバストから上側部分を覆う正面上部の生地片と、前記アームホールの正面下部を形成するとともにバストから下側部分を覆う正面下部の生地片とから構成され、前記前身頃の正面上部および前記脇布は前記前身頃の前記正面下部よりも前記身頃本体の幅方向に易伸縮性を有していている、女性用背広上衣。
【請求項４】
請求項１に記載の女性用背広上衣において、
前記前身頃の一部の生地片および前記後身頃の一部の生地片はニット素材で形成され、
前記他の生地片はウール素材で形成されている、女性用背広上衣。
【発明の詳細な説明】
【技術分野】
【０００１】
本発明は、女性用背広上衣に関する。
【背景技術】
【０００２】
近年、女性の社会参加の増加によって女性が就職活動や職場で女性用背広を着用する機会が増加している。このような場面では、例えば、背広上衣を着用したまま椅子などに着座して長時間作業を行う機会も多い。また、例えば、車椅子を利用する女性の高齢者や障害者が、車椅子に座った状態で背広上衣を着用して長時間作業を行う場合もある。上記のように女性が背広上衣を長時間着用する場合には、バストボリュームによって胸元や腕が圧迫され易く、着崩れを起こし易いという問題があった。
【０００３】
これに関連して、特許文献１には、背中心で接ぎ合されるヨーク布および左右両脇部分を覆うマチ布がニット横地で形成されており、ヨーク布が背面側上腕部から上背を覆い、マチ布が背中側から腋下を経由して袖先に延びるように形成されたスポーツ用衣服が開示されている。
また、特許文献２には、後身頃を構成する生地を肘付近まで延在して一枚の布地で構成し、この一枚の布地が背面側部分では縦方向に伸び易いものとし、肘付近では腕の長さ方向に沿った向きに伸び易くした上衣が開示されている。
【先行技術文献】
【特許文献】
【０００４】
【特許文献１】特開２００５−３０７３６９号公報
【特許文献２】特開２００１−１１７０７号公報
【発明の概要】
【発明が解決しようとする課題】
【０００５】
上記特許文献１に記載のスポーツ用衣服は、例えば、立位姿勢でゴルフスイングを行う際の身体の捩じり動作に伴う生地の引きつれ感が生じないようにすることはできる。しかしながら、上述した女性用背広上衣のように、例えば、ブラウス等の上から羽織って着用する前開きの衣類は、上記のスポーツ用衣服ほど着用者の身体に密着した状態で着用するものではなく、例えば、座位姿勢において着崩れを起こし易いという問題がある。
上記特許文献２に記載の上衣についても、各種のスポーツを行うときの腕の振り等、着用者の挙動に追従し易く運動機能を高めることはできる。しかし、上述した女性用背広上衣のように、例えば、ブラウス等の上から羽織って着用する前開きの衣類は、上記のスポーツ用衣服ほど着用者の身体に密着した状態で着用するものではないため上記同様に着崩れを起こし易いという問題がある。
また、女性が背広上衣を着用する場合には、上述したようにバストボリュームの影響等により着崩れを起こし易いという問題もある。
【０００６】
そこで、本発明の目的は、座位姿勢時における挙動に追従して生地が伸縮することによって長時間着用しても着崩れ難い女性用背広上衣を提供することにある。
【課題を解決するための手段】
【０００７】
本発明に係る女性用背広上衣は、バストの膨らみに対応するように複数の生地片を接ぎ合せて立体的に構成され、その一部の生地片がアームホールの肩山から腋下の前側部分を形成する前身頃と、複数の生地片から構成され、その一部の生地片がアームホールの肩山から腋下の背面側部分を形成する後身頃と、前身頃と後身頃の間に配置され、その上部が腋下周辺のアームホールを構成する脇布と、を備えた身頃本体から成る女性用背広上衣であって、少なくとも前身頃の一部の生地片および後身頃の一部の生地片が背広上衣を構成する他の生地片よりも身頃本体の幅方向に易伸縮性を有しており、前記前身頃において易伸縮性を有する一部の生地片は、前記アームホールの一部を形成するアームホール端縁と、バストトップ点を経由するように形成された正面側端縁又は下端縁とを有するものである。
【０００８】
本発明に係る女性用背広上衣において、前身頃は、その正面中央部分を覆う生地片およびアームホールを形成する正面脇側部分の生地片から構成され、正面脇側部分の生地片は正面中央部分の生地片よりも身頃本体の幅方向に易伸縮性を有していてもよい。
【０００９】
また、本発明に係る女性用背広上衣において、前身頃は、アームホールの正面上部を形成するととともにバストから上側部分を覆う正面上部の生地片と、アームホールの正面下部を形成するとともにバストから下側部分を覆う正面下部の生地片から構成され、前身頃の正面上部および脇布は前身頃の正面下部よりも身頃本体の幅方向に易伸縮性を有していてもよい。
さらに、本発明に係る女性用背広上衣において、前身頃の一部の生地片および後身頃の一部の生地片はニット素材で形成され、他の生地片はウール素材で形成されていてもよい。
【発明の効果】
【００１０】
本発明に係る女性用背広上衣によれば、前身頃の一部の生地片と後身頃の一部の生地片と脇布によってアームホールが構成される。このうち、少なくとも前身頃の一部の生地片および後身頃の一部の生地片が背広上衣を構成する他の生地片よりも易伸縮性の生地片で構成されている。これにより、座位姿勢における着用者の挙動、例えば、体幹を捩じる動作に伴う皮膚の伸縮に追従して生地片が伸縮することによってバストや腕を圧迫し難くできる。その結果、座位姿勢時において着崩れを防止できる。
【図面の簡単な説明】
【００１１】
【図１】（ａ）は本発明に係る実施の形態である女性用背広上衣の正面図であり、（ｂ）は同女性用背広上衣の背面図である。
【図２】図１に示す女性用上衣を構成する各生地片を示す分解図である。
【図３】図１に示す女性用上衣のアームホール周辺の構成を示す側面図である。
【図４】図４（ａ）は本発明の変形例である女性用背広上衣の正面図であり、図４（ｂ）は同女性用背広上衣の背面図である。
【図５】図４に示す女性用上衣を構成する各生地片を示す分解図である。
【図６】図４に示す女性用上衣のアームホール周辺の構成を示す側面図である。
【図７】図１に示す女性用上衣の正面側の意匠を示す図である。
【図８】図１に示す女性用上衣の背面側の意匠を示す図である。
【図９】図９（ａ）は図1に示す女性用上衣の上面視における意匠を示す平面図であり、図９（ｂ）は図１に示す女性用上衣の下面視における意匠を示す底面図である。
【図１０】図1に示す女性用上衣の右側面の意匠を示す右側面図である
【図１１】図１に示す女性用上衣の左側面の意匠を示す左側面図である。
【図１２】図１に示す女性用上衣の使用状態を示す参考斜視図である。
【図１３】図４に示す女性用上衣の正面側の意匠を示す図である。
【図１４】図４に示す女性用上衣の背面側の意匠を示す図である。
【図１５】図１５（ａ）は図４に示す女性用上衣の上面視における意匠を示す平面図であり、図１５（ｂ）は図４に示す女性用上衣の下面視における意匠を示す底面図である。
【図１６】図４に示す女性用上衣の右側面の意匠を示す右側面図である
【図１７】図４に示す女性用上衣の左側面の意匠を示す左側面図である。
【図１８】図４に示す女性用上衣の使用状態を示す参考斜視図である。
【発明を実施するための形態】
【００１２】
以下に、本発明に係る実施形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１３】
図１（ａ）は本発明に係る実施の形態である女性用背広上衣１０の正面図であり、図１（ｂ）は女性用背広上衣１０の背面図である。図２は、女性用背広上衣１０の左身頃を構成する各生地片を示す図である。図３は、女性用背広上衣１０の左身頃側のアームホール周辺の構成を示す側面図である。以下の説明において「前中心」とは女性用背広上衣１０の正面側中央を縦断する仮想線を意味し、「後中心」とは女性用背広上衣１０の背面側中央を縦断する仮想線を意味する。「幅方向」とは身頃本体の身幅方向を意味する。
【００１４】
女性用背広上衣１０は、図１（ａ），（ｂ）に示すように、前身頃１２、後身頃２０、脇布２８を備えた身頃本体３０から構成された女性用のシングルスーツである。前身頃１２は、右身頃１２Ｒおよび左身頃１２Ｌから構成される。右身頃１２Ｒの前中心側端部には、上下方向に並んで２つのボタンホールが形成されている。これに対して、左身頃１２Ｌの前中心側端部には２つのボタンが上記のボタンホールに対応して取り付けられている。前身頃１２は、左身頃１２Ｌおよび右身頃１２Ｒの構成がほぼ同一であるため、以下においては左身頃１２Ｌの構成についてのみ説明する。
【００１５】
左身頃１２Ｌは、正面中央部分を覆う生地片１４と、正面脇側部分を覆う生地片１６から構成されている。この生地片１４は、図２に示すように、上下方向が長手方向になるように形成されている。生地片１４は、ダーツ部１４ａおよび脇側端縁１４ｂ，１４ｃを有している。このダーツ部１４ａは、上下方向に沿って設けられており、立体的な膨らみを形成するために設けられる切り込みである。脇側端縁１４ｂは、後述する正面脇側部分の生地片１６と接ぎ合わされ、上記のダーツ部１４ａに連続的に繋がる接ぎ線を形成する。脇側端縁１４ｂは、バストトップ点Ｔを経由するように形成され、後述する生地片１６と接ぎ合される。バストトップ点Ｔの位置は、例えば、トルソー等の人体模型に基づいて設定してもよいし、実際の着用時におけるバストトップの位置に基づいて設定してもよい。脇側端縁１４ｃは、脇布２８と接ぎ合される端縁である。
【００１６】
正面脇側部分を覆う生地片１６は、図２に示すように、正面側端縁１６ａ、アームホール端縁１６ｂ、上端縁１６ｃ、および、脇側端縁１６ｄを有している。この正面側端縁１６ａは、バストトップ点Ｔの周辺が前中心側に張り出すように形成され、上記の脇側端縁１４ｂと接ぎ合されている。これにより、バストトップ点Ｔの周辺に立体的な膨らみを形成し、バスト周辺のフィット性を確保している。
【００１７】
生地片１６のアームホール端縁１６ｂは、図３に示すように、アームホールＨの肩山Ｓから腋下の前側部分の前腋窩点近傍に位置する正面側端部Ｐまでを形成する。前腋窩点とは、マルチン計測法において用いられる計測点であり腋窩前壁の大胸筋筋束最下縁の点である。図２示す生地片１６の上端縁１６ｃは、後述する後身頃の生地片と接ぎ合されて肩山Ｓを形成する。
【００１８】
生地片１６の脇側端縁１６ｄは、図２に示すように、下方に向かって緩やかに湾曲しており、後述する脇布２８と接ぎ合せることによってウエスト周辺が立体的に絞られたシルエットを形成する。
【００１９】
後身頃２０は、図１（ｂ）に示すように、左身頃２０Ｌおよび右身頃２０Ｒから構成されている。後身頃２０は、左身頃２０Ｌおよび右身頃２０Ｒの構成がほぼ同一であるため、以下の説明においては左身頃２０Ｌの構成についてのみ説明する。左身頃２０Ｌは、背面側中央部を覆う生地片２２および脇側周辺を覆う生地片２４から構成されている。この生地片２２は、背面側端縁２２ａ，上端縁２２ｂ、ネックライン２２ｃ、脇側端縁２２ｄ、および、脇側下端縁２２ｅを有している。この背面側端縁２２ａは、右身頃の背面側中央部を覆う生地片と後中心に沿って接ぎ合されている。上端縁２２ｂは、上述した前身頃１２の上端縁１６ｃと接ぎ合されて肩山Ｓを形成する。ネックライン２２ｃは、上端縁２２ｂと背面側端縁２２ａの間に形成されており背面側の襟刳りを形成する。脇側端縁２２ｄは、背面中央に向かって凸となるように上下方向に緩やかに湾曲し、後述する生地片２４に接ぎ合されている。脇側下端縁２２ｅは、脇布２８と接ぎ合される端縁である。
【００２０】
後身頃２０の生地片２４は、図２に示すように、上端縁２４ａ，アームホール端縁２４ｂ，脇側下端縁２４ｃ，および、背面中央側端縁２４ｄを有している。この生地片２４は、例えば、肩甲骨の肩甲上部後突点周辺を覆うように配置されている。生地片２４の上端縁２４ａは、前身頃１２の上端縁１６ｃと接ぎ合されて肩山Ｓを形成する。アームホール端縁２４ｂは、図３に示すアームホールＨの肩山Ｓから腋下の背面側部分の後腋窩点近傍に位置する背面側端部Ｑまでを形成する。後腋窩点とは、マルチン計測法において用いられる計測点であり腋窩後壁の広背筋最下縁の点である。図２に示す脇側下端縁２４ｃは、脇布２８と接ぎ合わされる端縁である。脇側下端縁２４ｃは、ウエストの位置の周辺が屈曲している。これにより、上記の脇布２８と接ぎ合わされたときにウエスト周辺のシルエットを絞るようにしている。背面中央側端縁２４ｄは、背面中央側に膨らむように弧状に形成されており、上記の脇側端縁２２ｄと接ぎ合されている。これにより、背中の脇側周辺にフィットし易くしている。
【００２１】
脇布２８は、腋下から下方の腰周辺までを覆う上下方向に長い生地片であり、左右両脇部分に配置されている。脇布２８は、アームホール端縁２８ａ、正面側端縁２８ｂ、および、背面側端縁２８ｃを有している。このアームホール端縁２８ａは、図３に示すアームホールＨの脇下周辺を形成する。正面側端縁２８ｂは、上部が前身頃１２の生地片１６と接ぎ合され、下部が前身頃１２の生地片１４と接ぎ合されている。アームホール端縁２８ａは、図３に示すように正面側端部Ｐと背面側端部Ｑとを結び、下向きに緩やかに湾曲する曲線状を呈している。背面側端部Ｑは、図３に示すように、アームホールＨの最下点Ｕと背面側の後腋点の位置である点Ｊの間となるように設ければよい。後腋点とは、マルチン計測法において用いられる計測点であり後腋窩裂上端の点である。また、後腋点とは、腕の付け根から下側の胴体部分において最も背幅が広くなる位置でもある。
【００２２】
女性用背広上衣１０は、図１に示すように、袖３２および襟３４を備えている。この袖３２は、身頃本体３０のアームホールＨに取り付けられている。袖３２は、図２に示すように、外袖３２ａおよび内袖３２ｂによって筒状に構成されている。外袖３２ａは、腕部の外側部分を覆う生地である。内袖３２ｂは、腕部の内側、すなわち腋下側を覆う生地である。襟３４は、身頃本体３０のネックライン２２ｃに沿うように取り付けられ、図１に示すように、表側に折り返されている。
【００２３】
本実施形態では、前身頃１２の正面脇側部分を覆う生地片１６および後身頃２０の生地片２４は、他の脇布２８、前身頃１２の生地片１４、および、後身頃２０の生地片２２よりも身頃本体３０の幅方向に易伸縮性を有している。より具体的には、前身頃１２の正面脇側部分を覆う生地片１６および後身頃２０の生地片２４は、例えば、ニット素材等の伸縮性のある素材で形成される。一方、他の脇布２８、前身頃１２の生地片１４、および後身頃２０の生地片２２は、例えば、ウール素材等の低伸縮性の素材で形成される。上記のように身頃本体３０をニット素材等の伸縮性素材のみで構成せず部分的にウール素材等の低伸縮性素材を用いることにより、生地の伸びを適度に抑えて着用時のフィット性を高めることができる。また、袖３２を構成する外袖３２ａおよび内袖３２ｂについても、例えば、ニット素材等の伸縮性のある素材で形成してもよいし、ウール素材等の低伸縮性の素材で形成してよい。
【００２４】
本実施形態では、上記のように生地片１６および生地片２４だけを他の身頃本体３０を構成する生地片１４，２２および腋布２８よりも伸縮性のあるニット素材で形成しているが、本発明はこれに限定されるものではない。例えば、バイアス方向など特定の方向に伸縮し易い生地を用いてもよい。より具体的には、前身頃１２の生地片１６および後身頃２０の生地片２４は、生地が伸縮し易い方向が幅方向に沿うように生地片を形成し、その他の生地片１４，２２、および、脇布２８についてはバイアス方向が、例えば、着丈方向に沿うように生地片を形成すればよい。
【００２５】
上記構成を有する女性用背広上衣１０によれば、前身頃１２の生地片１６および後身頃２０の生地片２４が女性用背広上衣１０の身頃本体３０を構成する他の生地片１４，２２および腋布２８よりも幅方向に易伸縮性を有するように構成されている。これにより、座位姿勢における着用者の挙動、例えば、体幹を捩じる動作に伴う皮膚の伸縮に追従して生地片が伸縮することによってバストや腕を圧迫し難くできる。その結果、座位姿勢時において長時間作業を行っても着崩れ難くすることができる。
【００２６】
次に、図４〜図６を参照して本発明の実施の形態における変形例である女性用背広上衣５０について説明する。図４（ａ）は本発明の実施の形態における変形例である女性用背広上衣５０の正面図であり、図４（ｂ）は女性用背広上衣５０の背面図である。図５は、女性用背広上衣５０の左半身を構成する各生地片を示す図である。図５では、襟および袖を構成する生地片については女性用背広上衣１０の構成と同一であるため図示を省略している。図６は、女性用背広上衣５０の左身頃側のアームホール周辺の構成を示す側面図である。
【００２７】
以下の説明において、上記実施形態における女性用背広上衣１０と構成の異なる部分のみ説明を行い、共通する部分については適宜説明を省略するものとする。
【００２８】
女性用背広上衣５０は、図４（ａ），（ｂ）に示すように、前身頃５２、後身頃６０、および、脇布６８を備えた身頃本体７０から構成されている。身頃本体７０の前身頃５２は、左身頃５２Ｌおよび右身頃５２Ｒから構成されている。左身頃５２Ｌには前中心側にボタンが１つ取り付けられており、右身頃５２Ｒには上記のボタンを留めるためのボタンホールが形成されている。左身頃５２Ｌおよび右身頃５２Ｒの構成はほぼ同一であるため、以下の説明においては左身頃５２Ｌについてのみ説明を行い、右身頃５２Ｒについては説明を省略する。
【００２９】
左身頃５２Ｌは、図５に示すように、正面上部を覆う生地片５４と、生地片５４よりも前中心側の上部を覆う生地片５６と、正面下部を覆う生地片５８とから構成されている。この生地片５４は、上端縁５４ａ、アームホール端縁５４ｂ、下端縁５４ｃ、および、正面側端縁５４ｄを有している。この上端縁５４ａは、後述する後身頃側の生地と接ぎ合される。アームホール端縁５４ｂは、図６に示すようにアームホールＨの前面上部を形成する。下端縁５４ｃは、バストトップ点Ｔを経由して正面側から脇側へ斜め上方に延びており、後述する正面下部の生地片５８と接ぎ合される。生地片５６は、脇側端縁５６ａおよび前中心側端縁５６ｂを有している。この脇側端縁５６ａは、上記生地片５４の正面側端縁５４ｄと接ぎ合される。また、生地片５６は表側に折り返されて下襟を構成する。
【００３０】
正面下部の生地片５８は、上端縁５８ａ，アームホール端縁５８ｂ、および、脇側端縁５８ｃを有する。この上端縁５８ａは、バストトップ点Ｔを経由するように形成されており上記の下端縁５４ｃと接ぎ合わされ、バストの下側部分の膨らみを覆うように形成されている。アームホール端縁５８ｂは、図６に示すようにアームホールＨの腋下の前側部分を形成する。脇側端縁５８ｃは後述する脇布６８と接ぎ合される。
【００３１】
後身頃６０は、図４（ａ），（ｂ）に示すように、左身頃６０Ｌおよび右身頃６０Ｒから構成されている。左身頃６０Ｌおよび右身頃６０Ｒの構成はほぼ同一であるため、以下の説明においては左身頃６０Ｌについてのみ説明を行い、右身頃６０Ｒについては説明を省略する。
【００３２】
左身頃６０Ｌは、図５に示すように、背面中央部を覆う生地片６２、および、脇側を覆う生地片６４から構成されている。生地片６２は、脇側端縁６２ａおよび脇側上端縁６２ｂを有している。この脇側端縁６２ａは、生地片６４の背面側端縁６４ａと上下方向に沿って接ぎ合わされている。後身頃６０の生地片６４は、図５に示すように、背面側端縁６４ａ、上端縁６４ｂ、および、アームホール端縁６４ｃを有している。この背面側端縁６４ａは、上記の生地片６２の脇側端縁６２ａと接ぎ合されている。生地片６４の上端縁６４ｂは、前身頃側の生地片５４の上端縁５４ａと接ぎ合されて肩山Ｓを形成している。生地片６４のアームホール端縁６４ｃは、図６に示すように肩山Ｓから腋下の背面側部分に至るアームホールＨを形成している。
【００３３】
脇布６８は、前身頃５２と後身頃６０の間の左右両脇部分にそれぞれ設けられており、アームホール端縁６８ａが図６に示すようにアームホールＨの腋下周辺を形成する。脇布６８のアームホール端縁６８ａは、図６に示すうように、正面側端部Ｐと背面側端部Ｑ´との間を下向きに緩やかに湾曲する曲線状に形成されている。背面側端部Ｑ´は、後腋点の位置である点Ｊよりも背面側の位置に設定されている。
【００３４】
本変形例では、脇布６８、前身頃５２の正面上部を覆う生地片５４、および、後身頃６０の脇側を覆う生地片６４は、他の前身頃５２の生地片５６，５８および後身頃６０の生地片６２よりも身頃本体７０の幅方向に易伸縮性を有している。より具体的には、脇布６８、前身頃５２の生地片５４、および、後身頃６０の生地片６４は、例えば、ニット素材等の伸縮性のある素材で形成される。一方、他の前身頃５２の生地片５６，５８および後身頃６０の生地片６２は、例えば、ウール素材等の低伸縮性の素材で形成される。
【００３５】
本変形例では、腋下周辺を覆う脇布６８は伸縮性を有する素材で構成され、脇布６８に隣接する正面側の生地片５８は低伸縮性の素材で形成している。この生地片５８が覆っている腋下に隣接する正面側下部は、腋下と同様に座位姿勢における、例えば、体幹の捩じり動作において皮膚の伸縮が少ない部分である。このため、上記実施形態と同様に座位姿勢において長時間作業をしても着崩れし難い。また、低伸縮性の生地片５８によってバスト下部を覆うことによって、バストの脇流れを効果的に抑制することができるという利点がある。このため、特にバストサイズが大きい着用者が着用した場合に効果的に着崩れを抑制することができる。
【００３６】
図７〜図１１は、女性用背広上衣１０の意匠を示す図面である。図１２は、使用状態を示す参考斜視図である。図７の正面図に示すように下襟からポケットの前中心側に延びる接ぎ線が設けられ、図８の背面図に示すように肩山から後中心に徐々に接近するように下方に延び、左右の両袖の下端部を通過した辺りから左右両脇に向かって湾曲する接ぎ線が設けられ、座位姿勢時における着用者の挙動に追従し易く着崩れ難くした女性用背広上衣の意匠である。
【００３７】
図１３〜図１７は、女性用背広上衣５０の意匠を示す図面である。図１８は、使用状態を示す参考斜視図である。図１３の正面図に示すように袖の付け根から前中心のボタンと下襟の中間位置に向かって斜め下方に直線的に延びる接ぎ線と、図１４に示す肩山から裾に向かって後中心側に凸となる緩やかな曲線状の接ぎ線が設けられ、座位姿勢時における着用者の挙動に追従し易く着崩れし難くした女性用背広上衣の意匠である。
【００３８】
なお、本発明に係る女性用背広上衣は、上述した実施形態およびその変形例の構成に限定されるものではなく、本願の特許請求の範囲に記載された事項およびその均等の範囲内で種々の改良や変更が可能であることはいうまでもない。
【符号の説明】
【００３９】
１０，５０  女性用背広上衣、１２，５２  前身頃、１２Ｌ，５２Ｌ  左身頃、１２Ｒ，５２Ｒ  右身頃、２０，６０  後身頃、２０Ｌ，６０Ｌ  左身頃、２０Ｒ，６０Ｒ  右身頃、２８，６８  脇布、３０，７０  身頃本体，１４，１６，２２，２４，５４，５６，５８，６４  生地片、Ｓ  肩山。
【図１】
0006447994.tif 000002
【図２】
0006447994.tif 000003
【図３】
0006447994.tif 000004
【図４】
0006447994.tif 000005
【図５】
0006447994.tif 000006
【図６】
0006447994.tif 000007
【図７】
0006447994.tif 000008
【図８】
0006447994.tif 000009
【図９】
0006447994.tif 000010
【図１０】
0006447994.tif 000011
【図１１】
0006447994.tif 000012
【図１２】
0006447994.tif 000013
【図１３】
0006447994.tif 000014
【図１４】
0006447994.tif 000015
【図１５】
0006447994.tif 000016
【図１６】
0006447994.tif 000017
【図１７】
0006447994.tif 000018
【図１８】
0006447994.tif 000019